(57)【要約】    【課題】  電子機器ユニットの取付け姿勢を変更した場合でも、ファンユニットの風の吐出方向が上向きとなる様にし、電子機器ユニットの設置制約条件を緩和し、又冷却ファンによる効果的な冷却を可能とする。    【解決手段】  ファンユニット２が挿脱により筐体に実装可能とした電子機器の筐体構造に於いて、前記ファンユニットが上下反転して前記筐体に実装可能とすると共に前記ファンユニットの背面の中心にファン側コネクタ１３を設け、前記筐体には前記ファン側コネクタと嵌合可能な受け側コネクタを設け、前記ファン側コネクタの接点は該ファン側コネクタの点対称中心に対して一側に設けられ、前記受け側コネクタの接点は該受け側コネクタの点対称中心に対して両側に設けられ、前記ファン側コネクタが上下両姿勢で嵌合してそれぞれ電気的に接続される様構成し、前記ファンユニットは該ファンユニットによる空気の吸引吐出が対流方向となる様実装される。    【選択図】          図１
2006093547.tif 000002
【特許請求の範囲】
【請求項１】
ファンユニットが挿脱により筐体に実装可能とした電子機器の筐体構造に於いて、前記ファンユニットが上下反転して前記筐体に実装可能とすると共に前記ファンユニットの背面の中心にファン側コネクタを設け、前記筐体には前記ファン側コネクタと嵌合可能な受け側コネクタを設け、前記ファン側コネクタの接点は該ファン側コネクタの点対称中心に対して一側に設けられ、前記受け側コネクタの接点は該受け側コネクタの点対称中心に対して両側に設けられ、前記ファン側コネクタが上下両姿勢で嵌合してそれぞれ電気的に接続される様構成し、前記ファンユニットは該ファンユニットによる空気の吸引吐出が対流方向となる様実装されることを特徴とする電子機器の筐体構造。 
【発明の詳細な説明】
【技術分野】
【０００１】
本発明は電子機器の筐体構造、特に冷却用のファンの取付け構造を改善した電子機器の筐体構造に関するものである。
【背景技術】
【０００２】
電子機器を構成するユニット、例えば電源ユニット、増幅ユニット等は発熱部を有しており、これらユニットには筐体内に熱が籠らない様に外部へ熱を排出する為の冷却用ファンが設けられる。
【０００３】
暖かい空気は対流により上昇するので、ユニットに取付けられる冷却用ファンは、対流方向、即ち上方に向って風を吐出する様に設けられる。
【０００４】
図６（Ａ）は、電子機器ユニットを収納するラック、或は電子機器ユニットにファンユニット２が取付けられた場合の一例（図示では仮に電子機器ユニット１とする）を示している。図６（Ａ）では、前記ファンユニット２は前記電子機器ユニット１の上側に設けられ、下方の該電子機器ユニット１の内部から空気を吸引して上方に排気する様になっている。
【０００５】
又、図６（Ｂ）では、前記ファンユニット２は前記電子機器ユニット１の下側に設けられ、該電子機器ユニット１の内部へ外部下方から吸引した空気を上方に吐出し、該電子機器ユニット１内部の空気を送出す様になっている。
【０００６】
従来、ファンユニット２の電子機器ユニット１或は電子機器筐体への取付け姿勢は固定されており、この為、図６（Ａ）、図６（Ｂ）に示される様に前記電子機器ユニット１の一部が筐体内の他の構造物、部品等部材４に干渉する場合、或は前記電子機器ユニット１に接続された電源ケーブル、信号ケーブル等のケーブル３が筐体内の他の構造物、部品等部材４に干渉する場合、前記電子機器ユニット１が設置できない、或はスペースを確保する為に設計変更をしなければならない等、設置上、設計上の制約があった。
【０００７】
仮に、前記部材４との緩衝を避ける為、図７（Ａ）、図７（Ｂ）に示す様に便宜的に前記電子機器ユニット１を上下逆に設置した場合、図７（Ａ）の場合では電子機器ユニット１の内部から空気吸引して下側に排気する様になり、又図７（Ｂ）の場合では、電子機器ユニット１の上方から外部の空気を吸引して該電子機器ユニット１内に吐出して該電子機器ユニット１の下方に空気を送出する状態となる。
【０００８】
図８（Ａ）（Ｂ）（Ｃ）に示される様に、前記ファンユニット２により前記電子機器ユニット１の下面から下方に該電子機器ユニット１内の空気５が送出された場合、該空気５は暖まった空気であるので、反転して上昇し、更に前記電子機器ユニット１の上部から更に吸引されてしまう。この為、該電子機器ユニット１内には暖められた空気が循環することになり、冷却効果が低下すると共に該電子機器ユニット１周囲の温度を上昇させる原因となる。
【０００９】
尚、従来、ファンユニットを具備する電子機器の筐体構造としては特許文献１に示されるものがある。特許文献１に示されるファンユニットはＰＣのカードスロットに実装可能となっており、ファンユニットの端面から空気を吸気或は排気し、表裏面から排気、吸気する様になっている。
【００１０】
【特許文献１】特開２０００−２６７７６５号公報
【発明の開示】
【発明が解決しようとする課題】
【００１１】
本発明は斯かる実情に鑑み、電子機器ユニットの取付け姿勢を変更した場合でも、ファンユニットの風の吐出方向が上向きとなる様にし、電子機器ユニットの設置制約条件を緩和し、又冷却ファンによる効果的な冷却を可能とするものである。
【課題を解決するための手段】
【００１２】
本発明は、ファンユニットが挿脱により筐体に実装可能とした電子機器の筐体構造に於いて、前記ファンユニットが上下反転して前記筐体に実装可能とすると共に前記ファンユニットの背面の中心にファン側コネクタを設け、前記筐体には前記ファン側コネクタと嵌合可能な受け側コネクタを設け、前記ファン側コネクタの接点は該ファン側コネクタの点対称中心に対して一側に設けられ、前記受け側コネクタの接点は該受け側コネクタの点対称中心に対して両側に設けられ、前記ファン側コネクタが上下両姿勢で嵌合してそれぞれ電気的に接続される様構成し、前記ファンユニットは該ファンユニットによる空気の吸引吐出が対流方向となる様実装される電子機器の筐体構造に係るものである。
【発明の効果】
【００１３】
本発明によれば、ファンユニットが挿脱により筐体に実装可能とした電子機器の筐体構造に於いて、前記ファンユニットが上下反転して前記筐体に実装可能とすると共に前記ファンユニットの背面の中心にファン側コネクタを設け、前記筐体には前記ファン側コネクタと嵌合可能な受け側コネクタを設け、前記ファン側コネクタの接点は該ファン側コネクタの点対称中心に対して一側に設けられ、前記受け側コネクタの接点は該受け側コネクタの点対称中心に対して両側に設けられ、前記ファン側コネクタが上下両姿勢で嵌合してそれぞれ電気的に接続される様構成し、前記ファンユニットは該ファンユニットによる空気の吸引吐出が対流方向となる様実装されるので、ファンユニットを筐体、ラックに対して上下両姿勢で取付け可能となり、電子機器ユニットの設置制約条件が緩和され、又冷却ファンによる効果的な冷却を可能とする等の優れた効果を発揮する。
【発明を実施するための最良の形態】
【００１４】
以下、図面を参照しつつ本発明を実施する為の最良の形態を説明する。
【００１５】
図１は、冷却ファン７が組込まれたファンユニット２を示しており、該ファンユニット２は前記冷却ファン７が取付けられるケース９、及び該ケース９の前面に取付けられた正面パネル１１を有し、前記ケース９の側面にはガイドレール１２が設けられ、前記ケース９の背面にはファン側コネクタ１３が設けられている。前記ケース９の上下両面には通風孔１０が設けられ、前記冷却ファン７の駆動によって一方の前記通風孔１０から空気が吸収され、他方から吐出される様になっており、前記ファンユニット２は、前記冷却ファン７によって該冷却ファン７の軸方向の冷却空気の流れが形成される様になっている。
【００１６】
前記ファンユニット２はラック、或は電子機器ユニット１の筐体に前記ガイドレール１２を介して挿脱可能となっている。ラック或は前記電子機器ユニット１の筐体のファンユニット２の挿入口（図示せず）には前記ガイドレール１２が嵌合するガイド溝（図示せず）が設けられ、該ガイド溝は前記ガイドレール１２を介して前記電子機器ユニット１の挿脱をガイドすると共に該電子機器ユニット１に対する前記ファンユニット２の位置決めを行っている。
【００１７】
前記ケース９は前記ファンユニット２の挿脱方向と平行な軸に関して点対称な形状をしており、又前記ガイドレール１２の取付け位置も左右で点対称な位置に設けられている。従って、前記ケース９の形状は、簡単には図２で見られる様な背面、正面が上下左右対称な矩形形状であり、又前記ガイドレール１２は側面の上下の中心に位置している。又、前記ファン側コネクタ１３の取付け位置も前記ケース９の背面の中心位置に設けられている。
【００１８】
前記ファンユニット２が前記電子機器ユニット１に挿入されると、例えば前記正面パネル１１を螺子等で前記電子機器ユニット１に螺子止めすることで前記ファンユニット２は前記電子機器ユニット１に固定される。
【００１９】
該電子機器ユニット１側、或はラック（図示せず）側には前記ファン側コネクタ１３が嵌合する受け側コネクタ１４（図４参照）が設けられている。前記ファン側コネクタ１３、前記受け側コネクタ１４共に断面形状は点対称、単純には上下左右対称な形状をしており、前記ファン側コネクタ１３が上下反転した場合でも該ファン側コネクタ１３と前記受け側コネクタ１４とが嵌合可能となっている。
【００２０】
又、図３（Ａ）（Ｂ）及び図４に於いてコネクタの接点の配置を説明する。
【００２１】
図３（Ａ）は前記ファン側コネクタ１３が図１の状態（上向き）を示しており、接点例えば電源用接点１５は図３（Ａ）中、上右端にあり、信号用接点１６は上中央に設けられている。而して、前記電源用接点１５、前記信号用接点１６は前記ファン側コネクタ１３の点対称中心の一側に配設されている。
【００２２】
これに対して前記受け側コネクタ１４の接点は、上左端に電源用接点１７が設けられ、上中央に信号用接点１８が設けられ、更にこれら電源用接点１７、信号用接点１８と点対称に下右端に電源用接点１９、下中央に信号用接点２０が設けられている。即ち、前記受け側コネクタ１４の接点は、該受け側コネクタ１４の点対称中心に対して両側に配設されている。尚、前記ファン側コネクタ１３、前記受け側コネクタ１４として既存、或は市販のコネクタを使用する場合は、コネクタが具備している接点の内、必要なものを選択して使用する。
【００２３】
図３（Ａ）で示される上向き状態で前記ファン側コネクタ１３が前記受け側コネクタ１４に嵌合する場合は、前記電源用接点１５と前記電源用接点１７、前記信号用接点１６と前記信号用接点１８とが接触し、図３（Ｂ）で示される下向き状態で前記ファン側コネクタ１３が前記受け側コネクタ１４と嵌合する場合は、前記電源用接点１５と前記電源用接点１９が、更に前記信号用接点１６が前記信号用接点２０と接触する。
【００２４】
従って、電子機器ユニット１に対して前記ファンユニット２は上向き姿勢、下向き姿勢のいずれの姿勢でも取付け可能となる。
【００２５】
図５（Ａ）、図５（Ｂ）は電子機器ユニット１に対する取付け状態を説明するものであり、図５（Ａ）に示される様にケーブル３が上向きになる様に電子機器ユニット１を取付ける場合は、前記ファンユニット２は前記電子機器ユニット１の下側に設けられ、更に前記ファンユニット２から吐出される風が上向きになる様に前記ファンユニット２の姿勢が決定される。従って、前記ユニットファン２は下方から空気を吸引し、上下に向って吐出することになり、空気の対流に冷却空気の流れを形成する。
【００２６】
又図５（Ｂ）に示される様に、ケーブル３が下向きになる様に電子機器ユニット１を取付ける場合は、前記ファンユニット２は前記電子機器ユニット１の上側に設けられ、更に図５（Ａ）の場合に対して上下反転して前記電子機器ユニット１に前記ファンユニット２が取付けられ、該ファンユニット２は下方から空気を吸引して上方に吐出し、風の流れは対流と同方向となる。
【００２７】
而して、図５（Ａ）、図５（Ｂ）のいずれの場合も、前記ファンユニット２から吐出される風は対流にも逆らうことなく上向きとなり、効果的な冷却が行える。
【００２８】
尚、前記ガイドレール１２の位置、前記ファン側コネクタ１３、受け側コネクタ１４の接点の位置等は点対称となっていればよく、位置は任意に設定可能である。
【００２９】
又、前記ケース９の側面に溝を形成してもよく、この場合、電子機器ユニット１側には溝に嵌合するガイドレール、又は突起を設ける。
【図面の簡単な説明】
【００３０】
【図１】本発明が実施されるファンユニットを示す斜視図である。
【図２】該ファンユニットの背面図である。
【図３】該ファンユニットに設けられたファン側コネクタの接点の配置図である。
【図４】受け側コネクタの接点の配置図である。
【図５】（Ａ）は実施の一例を示す説明図、（Ｂ）は実施の他の例を示す説明図である。
【図６】（Ａ）（Ｂ）は従来例を示す説明図である。
【図７】（Ａ）（Ｂ）は他の従来例を示す説明図である。
【図８】（Ａ）（Ｂ）（Ｃ）は他の従来例に於ける空気の流れを示す説明図である。
【符号の説明】
【００３１】
１              電子機器ユニット
２              ファンユニット
３              ケーブル
４              部材
７              冷却ファン
９              ケース
１１            正面パネル
１２            ガイドレール
１３            ファン側コネクタ
１４            受け側コネクタ
１５            電源用接点
１６            信号用接点
１７，１９      電源用接点
１８，２０      信号用接点
【図１】
2006093547.tif 000003
【図２】
2006093547.tif 000004
【図３】
2006093547.tif 000005
【図４】
2006093547.tif 000006
【図５】
2006093547.tif 000007
【図６】
2006093547.tif 000008
【図７】
2006093547.tif 000009
【図８】
2006093547.tif 000010